(57)【要約】【課題】簡単な構成で光源近傍を保護しつつ、基板ホルダへの光源モジュールの装着を容易にする光源装置を提供する。【解決手段】光源装置３００は、実装面に光源３５５が実装された光源モジュール３５１と、光源モジュール３５１を保持する基板ホルダ３０１とを備えている。基板ホルダ３０１は、一方の面の少なくとも一部が、光源モジュール３５１の実装面に当接する表面保持部３０７ａと、一方の面の少なくとも一部が、実装面の裏面に当接する裏面保持部３０７ｂとを有する。光源モジュール３５１は、表面保持部３０７ａの一方の面と、裏面保持部３０７ｂの一方の面とによって挟まれることで、基板ホルダ３０１に対して固定される。【選択図】図１
2014107248.tif 000002
【特許請求の範囲】
【請求項１】
実装面に光源が実装された板状の光源実装基板と、
前記光源実装基板を保持する基板ホルダと
を備え、
前記基板ホルダは、
板状体であって、一方の面の少なくとも一部が、前記光源実装基板の前記実装面に当接する実装面保持部と、
板状体であって、一方の面の少なくとも一部が、前記実装面の裏側となる裏面に当接する裏面保持部と
を有し、
前記光源実装基板は、
前記実装面保持部の前記一方の面と、前記裏面保持部の前記一方の面とによって挟まれることで、前記基板ホルダに対して固定されることを特徴とする光源装置。
【請求項２】
前記光源実装基板は、
前記実装面保持部の前記一方の面と、前記裏面保持部の前記一方の面とによって押し圧されることで、前記基板ホルダに対して固定されることを特徴とする請求項１記載の光源装置。
【請求項３】
前記光源実装基板は、
略長方形形状であると共に、前記実装面保持部の前記一方の面と、前記裏面保持部の前記一方の面との間に対して、スライド方向が前記略長方形形状の短手方向となるようにスライドさせることで、前記基板ホルダに取り付けられること特徴とする請求項１または２のいずれかに記載の光源装置。
【請求項４】
前記実装面保持部は、
壁面から前記壁面の法線方向に突き出ており、
前記裏面保持部は、
前記実装面保持部が突き出た前記壁面から前記法線方向に突き出ており、
前記実装面保持部は、
前記法線方向における前記壁面から先端までの長さが、前記裏面保持部の前記法線方向における前記壁面から先端までの長さよりも短いことを特徴とする請求項１〜３のいずれかに記載の光源装置。
【請求項５】
前記実装面保持部は、
前記板状体における厚さが、前記光源実装基板の前記実装面の法線方向における前記実装面からの前記光源の高さよりも厚いことを特徴とする請求項１〜４のいずれかに記載の光源装置。
【請求項６】
前記基板ホルダは、
前記光源実装基板の厚さとして現れる端面と、前記光源実装基板が前記実装面保持部の前記一方の面と前記裏面保持部の前記一方の面とによって挟まれている状態のもとで係合することにより、前記光源実装基板が前記実装面保持部と前記裏面保持部とから抜けることを防止する抜け防止部を備えたことを特徴とする請求項１〜５のいずれかに記載の光源装置。
【請求項７】
請求項１〜６のいずれかに記載の光源装置と、
下方から上方にわたり、前面の側に開口が形成された本体と、
前記本体に形成された前記開口の開口面に取り付けられる表示部と
を備え、
前記請求項１〜６のいずれかに記載の光源装置は、
前記表示部の前記上方に配置され、前記表示部の前記上方から前記表示部に前記光源の発した光を入射することを特徴とする表示装置。
【請求項８】
前記光源装置は、
前記表示部と前記本体との外部に取り付けられることを特徴とする請求項７記載の表示装置。
【発明の詳細な説明】
【技術分野】
【０００１】
この発明は、光源モジュールと、光源モジュールを保持する基板ホルダとを備えた光源装置、及びこの光源装置を使用する表示装置に関する。
【背景技術】
【０００２】
ＬＥＤおよびＬＥＤを実装したＬＥＤ基板をネジなどの締結部材を用いずに基板ホルダに保持するＬＥＤモジュールの構造がある（例えば、特許文献１参照）。
【先行技術文献】
【特許文献】
【０００３】
【特許文献１】特開２００９−１０４９６３号公報
【特許文献２】特開２０１０−０７３５８８号公報
【発明の概要】
【発明が解決しようとする課題】
【０００４】
しかしながら、特許文献１においては基板ホルダに配設された取付部はＬＥＤを実装した基板の板厚方向をＬＥＤの実装面側から保持する構造の為、ＬＥＤを実装した基板（実装面）の背面側（裏面側）および側面側が露出し、ＬＥＤ基板を変形および破損させる方向へ力が加わる恐れがあった。また、ＬＥＤ基板が露出しているため、器具に搭載する際には、ＬＥＤモジュールを覆う部品が必要であった。
【０００５】
特許文献２においては基板を保持する為に複数の部品を使用する必要があり、組立の効率の点で課題があり、また、ＬＥＤモジュールは表示装置の内部に取付けられる為、効率的に放熱することができなかった。
【０００６】
本発明は、簡単な構成で光源近傍を保護しつつ、基板ホルダへの光源モジュールの装着を容易に可能にするとともに、光源モジュールにストレスがかかることを防止し、効率よく光源モジュールから発生する熱を放熱する光源装置の提供を目的とする。
【課題を解決するための手段】
【０００７】
この発明の光源装置は、
実装面に光源が実装された板状の光源実装基板と、
前記光源実装基板を保持する基板ホルダと
を備え、
前記基板ホルダは、
板状体であって、一方の面の少なくとも一部が、前記光源実装基板の前記実装面に当接する実装面保持部と、
板状体であって、一方の面の少なくとも一部が、前記実装面の裏側となる裏面に当接する裏面保持部と
を有し、
前記光源実装基板は、
前記実装面保持部の前記一方の面と、前記裏面保持部の前記一方の面とによって挟まれることで、前記基板ホルダに対して固定されることを特徴とする。
【発明の効果】
【０００８】
本発明の光源装置によれば、光源モジュール（光源実装基板）は、板状体の実装面保持部と、板状体の裏面保持部によって挟まれることで基板ホルダに固定されるので、簡単な構成にて光源モジュールを基板ホルダに容易に取付けることが可能であり、さらに光源モジュールに外力によるストレスがかかるのを防止し、光源近傍を保護しつつ、光源モジュールの反りを抑制することができる。
【図面の簡単な説明】
【０００９】
【図１】実施の形態１の光源部３００を示す斜視図。
【図２】実施の形態１の光源部３００を示す５面図。
【図３】実施の形態１の光源モジュール３５１の５面図。
【図４】実施の形態１の光源部３００の電気的接続部３５６の近傍を示す部分拡大図（斜視図）。
【図５】光源部３００の図４の反対側を示す部分拡大図（斜視図）。
【図６】実施の形態１の光源モジュール３５１（基板３５４）の表面保持部３０７ａ，裏面保持部３０７ｂへの挿入を示す図。
【図７】実施の形態１の光源モジュール３５１（基板３５４）と脱落防止片３１０との係合関係を示す図。
【図８】実施の形態２の表示装置１０００の斜視図。
【図９】実施の形態２の表示装置１０００の４面図。
【図１０】実施の形態２の表示装置１０００の分解斜視図。
【図１１】実施の形態２の表示装置１０００の本体２００を示す斜視図。
【図１２】実施の形態２の表示装置１０００の表示部４００を示す斜視図。
【図１３】実施の形態２の表示装置１０００における本体２００への、表示部４００および光源部３００の取付手順を示す側面図。
【図１４】実施の形態２の表示装置１０００における本体２００と表示部４００との光源部３００の取付部を示す部分拡大図（斜視図）。
【図１５】実施の形態２の表示装置１０００における光源部３００の本体２００および表示部４００への取付部を示す部分拡大図（斜視図）。
【図１６】実施の形態２の表示装置１０００における本体と光源部３００の嵌合状態を示す部分断面図。
【図１７】実施の形態２の表示装置における表示部４００と光源部３００の嵌合状態を示す部分断面図。
【発明を実施するための形態】
【００１０】
実施の形態１．
図１〜図７を参照して、実施の形態１の光源部３００（光源装置）を説明する。光源部３００は、例えば実施の形態２で後述する誘導灯等の表示装置に使用される。図１は、光源部３００の斜視図である。図２は、光源部３００の５面図である。（ａ）、（ｂ）、（ｃ）、（ｄ）、（ｅ）は、それぞれ正面図、上面図、底面図、左側面図、右側面図である。図３は、光源モジュール３５１を光源３５５側から見た図である。図４は、光源部３００の電気的接続部３５６の近傍を示す部分拡大図（斜視図）である。図５は、光源部３００の図４の反対側を示す部分拡大図（斜視図）である。図６は光源モジュール３５１（基板３５４）の表面保持部３０７ａ，裏面保持部３０７ｂへの挿入を示す図である。図７は光源モジュール３５１（基板３５４）と脱落防止片３１０との係合関係を示す図である。
【００１１】
（光源部３００の構成）
図１に示す様に、光源部３００は光源モジュール３５１（光源実装基板）１と、光源モジュール３５１を保持する基板ホルダ３０１とを備える。光源モジュール３５１は実装面に光源３５５が実装された板状体である。光源モジュール３５１は、基板３５４、光源３５５（例えばＬＥＤ）および電気的接続部３５６から構成される。基板３５４には穴３５７が形成されている。
【００１２】
（基板ホルダ３０１）
基板ホルダ３０１の材質は、ＰＣ樹脂、あるいはＡＢＳ樹脂、あるいはＡＥＳ樹脂、あるいはそれらのアロイ材等が用いられる。
【００１３】
（基板３５４）
基板３５４の材質は、アルミ、ガラスエポキシ樹脂、紙フェノール樹脂等が用いられる。また、図３に示す様に、基板３５４は略長方形形状（Ｌ字形状）をしている。電気的接続部３５６の部分がＬ字の下の部分に相当する。また、基板３５４には穴３５７が設けられている。穴３５７は、ネジ等で別部材への締結に使用されたり、位置決め突起との係合等に利用することが可能である。
【００１４】
（基板ホルダ３０１）
図４および図５に示す様に、基板ホルダ３０１には基板３５４を取付ける為の表面保持部３０７ａ、裏面保持部３０７ｂ、脱落防止片３１０（抜け防止部）、光源モジュール位置決め突起３１２が設けられている。表面保持部３０７ａは、板状体であって、一方の面３０７ａ−１（図６（ｂ））の少なくとも一部が、取り付けられた光源モジュール３５１の実装面に当接する。裏面保持部３０７ｂは板状体であって、一方の面３０７ｂ−１（図６（ｂ））の少なくとも一部が、取り付けられた光源モジュール３５１の裏面に当接する。光源モジュール３５１は、表面保持部３０７ａの一方の面３０７ａ−１と、裏面保持部の一方の面３０７ｂ−１とによって挟まれることで、基板ホルダ３０１に対して固定される。つまり光源モジュール３５１（基板３５４）は、表面保持部の一方の面３０７ａ−１と、裏面保持部の一方の３０７ｂ−１面とによって挟まれ押し圧されることで、基板ホルダ３０１に対して固定される。
また、基板ホルダ３０１の側面には光源部３００を別部材に固定する為の、上部係合部３３０、係合爪３２９および係合突起３２８が設けられている。これら上部係合部３３０、係合爪３２９および係合突起３２８は、左右の対称位置に設けられている。
【００１５】
（光源モジュール３５１の基板ホルダ３０１への装着方法）
図４および図５を用いて光源モジュール３５１の基板ホルダ３０１への装着方法について以下に説明する。図６は図２（ａ）のＡ−Ａ断面に相当する。図６の表面保持部３０７ａは、図５の右側の表面保持部３０７ａである。基板ホルダ３０１は表面保持部３０７ａおよび裏面保持部３０７ｂを有しており、その間には光源モジュール３５１の基板３５４に対応する空間が設けられている。表面保持部３０７ａは裏面保持部３０７ｂより短くなっている。図５、図６に示すように表面保持部３０７ａは、壁面３１３から壁面３１３の法線方向に突き出ている。また裏面保持部３０７ｂも同様に壁面３１３からその法線方向に突き出ている。そして図６（ａ）に示すように、表面保持部３０７ａは、壁面３１３の法線方向における壁面３１３から先端までの長さＡが、裏面保持部３０７ｂの壁面３１３の法線方向における壁面３１３から先端までの長さＢよりも短い。これは光源モジュール３５１の挿入を容易にする為である。表面保持部３０７ａと裏面保持部３０７ｂの長さが同等の場合は光源モジュール３５１を水平状態に保ったまま基板ホルダ３０１に挿入する必要があるが、表面保持部３０７ａと裏面保持部３０７ｂの長さを変えることで、図６（ｂ）のように光源モジュール３５１（基板３５４）を斜め方向から挿入できるからである。
【００１６】
また、図６（ａ）のように、基板ホルダ３０１の表面保持部３０７ａの厚さｈ２は、光源（ＬＥＤ）５の高さｈ１と同等か、それ以上の高さ（厚み）を有している。
つまり、ｈ２≧ｈ１である。これにより、光源部３００が被取付部品に取り付けられた際、他の部材が光源３５５に直接接触することを防いでいる。つまり、表面保持部３０７ａは、厚さｈ２が、基板３５４の実装面の法線方向における実装面からの光源３５５の高さｈ１よりも厚い。
【００１７】
基板ホルダ３０１は光源モジュール３５１の電気的接続部３５６が配置される近傍には電気的接続部３５６を保護する為の保護壁３１４（図１）を有しており、電気的接続部３５６に側面（端部）方向からの力がかからない構成としている。
【００１８】
基板ホルダ３０１には光源モジュール位置決め突起３１２（図１）が設けられており、光源モジュール３５１の横方向（長手方向）への移動を規制している。これによって、光源モジュール３５１の基板ホルダ３０１への横方向の取付位置が決まる。
【００１９】
基板ホルダ３０１に対し、光源モジュール３５１は図４および図５に示す矢印（１）、（２）の方向に矢印（１）、（２）の順で挿入される。図４および図５の矢印（１）、（２）の方向は図６の矢印（１）、（２）の方向である。光源モジュール３５１の基板３５４は、上記のように略長方形形状である。基板３５４は、図６に示すように、表面保持部３０７ａの一方の面３０７ａ−１と、裏面保持部３０７ｂの一方の面３０７ｂ−１との間に対して、スライド方向が略長方形形状の短手方向となるようにスライドさせることで、基板ホルダ３０１に取り付けられる。
【００２０】
その際、脱落防止片３１０が挿入の妨げになるが、光源モジュール３５１を脱落防止片３１０より図４、および図５の斜め下方向から挿入することで、脱落防止片３１０を上方向に弾性変形させることができ、挿入された後に変形が戻ることで、光源モジュール３５１の側面端部に係合する。図７（ａ），（ｂ）は、この場合の光源モジュール３５１と脱落防止片３１０との関係を示す図である。（ａ）が脱落防止片３１０に対する光源モジュール３５１の挿入途中、（ｂ）が光源モジュール３５１の挿入終了時を示す。脱落防止片３１０は、基板３５４の厚さとして現れる端面３５１−１（図７（ａ））と、基板３５４が表面保持部３０７ａの一方の面３０７ａ−１と裏面保持部３０７ｂの一方の面３０７ｂ−１とによって挟まれている状態のもとで係合することにより、基板３５４（光源モジュール３５１）が表面保持部３０７ａと裏面保持部３０７ｂとから抜けることを防止する。脱落防止片３１０によって、光源モジュール３５１から光源モジュール３５１が脱落することを防止できると共に、また光源モジュール３５１を容易に外すことが出来ない状態になる。光源モジュール３５１を外す際は、脱落防止片３１０を強制的に弾性変形させ、光源モジュール３５１との係合を解除する。脱落防止片３１０の個数が複数ある場合は同時に解除しなければ基板ホルダ３０１から光源モジュール３５１を取り外せないから、脱落防止片３１０の個数は複数ある方が脱落しにくくなり、より好ましい。
【００２１】
上記構成とすることにより、簡単な構成（基板ホルダ３０１の１部品のみ）で容易に光源モジュール３５１を基板ホルダ３０１に取付けることができ、また基板ホルダ３０１から光源モジュール３５１を容易に外すことが出来ない構成にできる。また、光源３５５は表面保持部３０７ａにより保護されるので、外力によるストレスがかかることを防止することが可能となる。さらに、光源モジュール３５１は表面保持部３０７ａおよび裏面保持部３０７ｂの空間に挿入されるので、光源モジュール３５１の反りを抑制することが可能となる。
【００２２】
実施の形態２．
図８〜図１７を参照して実施の形態２の表示装置１０００を説明する。表示装置１０００は、実施の形態１で説明した光源部３００を用いた表示装置である。図８は、表示装置１０００の斜視図である。図９は表示装置１０００の４面図である。（ａ）、（ｂ）、（ｃ）、（ｄ）は、それぞれ正面図、上面図、底面図、右側面図である。図１０は表示装置１０００の分解斜視図である。図１１は表示装置１０００の本体２００を示す斜視図である。図１２は表示装置１０００の表示部４００を示す斜視図である。図１３は、表示装置１０００における本体２００への、表示部４００および光源部３００の取付手順を示す側面図である。図１４は、表示装置１０００における本体２００と表示部４００との光源部３００の取付部を示す部分拡大図（斜視図）である。図１５は表示装置１０００における光源部３００の本体２００および表示部４００への取付部を示す部分拡大図（斜視図）である。図１６は、表示装置１０００における本体と光源部３００の嵌合状態を示す部分断面図（図９（ｄ）のＢ−Ｂ断面）である。図１７は、表示装置１０００における表示部４００と光源部３００の嵌合状態を示す部分断面図（図９（ｄ）のＣ−Ｃ断面）である。なお図１６の断面は、光源部３００の、本体２００、表示部４００への装着後における図１５のＢ−Ｂ断面をＢ方向からみたものに相当する。また図１７の断面は、光源部３００の、本体２００、表示部４００への装着後における図１５のＣ−Ｃ断面をＣ方向からみたものに相当する。
【００２３】
図８、図１０に示す様に、表示装置１０００は、本体２００と、光源部３００と、表示部４００とを備えている。
【００２４】
（本体２００、光源部３００、表示部４００の係合関係）
図１０を参照して、本体２００、光源部３００、表示部４００の係合関係を述べておく。図１０の矢印は係合関係を示している。なお、係合相手が見えない場合は、対称位置に配置された部品を破線の矢印で結んだ。つまり破線で示した関係は実際の係合相手ではなく、実際の係合相手の対称位置に配置されたものを便宜的に示した。実線の矢印は実際の係合相手である。なお各係合部は、左右対称の位置に配置されている。
【００２５】
（本体２００と表示部４００との係合関係）
（１）本体側表示部係合部（上側）２１８と表示部側本体係合部（上側）４２３とが係合し、
（２）本体側表示部係合部（下側）２１９と表示部側本体係合部（下側）４２４とが係合する。
【００２６】
（光源部３００と本体２００との係合関係）
（１）係合爪３２９（図１５）と本体側光源部係合部２２６（図１４）とが係合し、
（２）さらに上部係合部３３０（図１５）と本体側光源部移動抑止部２２５（図１４）とが係合する。
【００２７】
（光源部３００と表示部４００との係合関係）
係合突起３２８（図１５）が表示部側光源部係合部４２７（図１４）と係合する。
【００２８】
本体２００の材質はそれぞれＰＣ（ポリカーボネート）樹脂、ＡＢＳ樹脂、ＡＥＳ樹脂、それらのアロイ材等が使用される。
【００２９】
また、図９、図１１に示す様に、本体２００の内部には補強金具２１４、電源端子台２１５、バッテリ２１６、操作部２１０、点灯装置２１７が配設されている。
【００３０】
また、本体２００は、天井や壁面に表示装置１０００を取付ける為の上面側取付穴２０６、上面側電源穴２０５、背面側取付穴２１１、２１３、背面側電源穴２１２を有している。
【００３１】
また、本体２００は表示部４００が取付けられる為の本体側表示部係合部（上側）２１８および本体側表示部係合部（下側）２１９を有している。本体側表示部係合部（上側）２１８と本体側表示部係合部（下側）２１９は、上記のように本体２００の第１の側面２２１、第２の側面２２２（図１１）の左右に対称形状にて設けられている。
【００３２】
さらに図１４に示す様に、本体２００は光源部３００を本体２００に取付ける為の本体側光源部係合部２２６を有している。本体側光源部係合部２２６は本体の左右に対称形状にて設けられている。
【００３３】
点灯装置２１７は外部電源により光源３５５を点灯させる機能、バッテリ２１６を充電する機能、外部電源が遮断された場合にバッテリ２１６の電力により光源３５５を点灯させる機能、バッテリ２１６が規定の時間光源３５５を点灯可能か点検を実施する機能、光源３５５が正常に点灯するかを確認する機能を有している。
【００３４】
操作部２１０（図９（ｃ））はモニタ２０７、点検用スイッチ２０８、受光部２０９を有している。点検用スイッチ２０８を操作することで点灯装置２１７が規定の点検動作を実施し、その結果をモニタ２０７の表示により外部へ報知する。モニタ２０７は点検結果の表示機能の他に、点検中である旨の表示、バッテリ２１６の充電状態や、光源部３００の接続状態、光源３５５の寿命を表示することが可能である。
【００３５】
また、受光部２０９は点検用スイッチ２０８の操作の代わりに、リモコンによる点検動作の開始信号を受信し、点灯装置２１７に点検動作を実施させる。
【００３６】
表示部４００は図１２に示す様に、導光体４２０、表示板４２１、表示板ケース４２２により構成される。表示板ケース４２２と導光体４２０の間には図示しない反射シートが、導光体４２０と表示板４２１の間には図示しない光学シートが配設される場合がある。
【００３７】
表示板ケース４２２の材質は、ＰＣ樹脂、あるいはＡＢＳ樹脂、あるいはＡＥＳ樹脂、あるいはそれらのアロイ材等が使用される。また、導光体４２０と表示板４２１はＰＭＭＡ樹脂やＰＣ樹脂等の透明な材料が使用される。
【００３８】
また、図１２に示すように、表示板ケース４２２の背面側には本体２００に表示部４００を取付ける為の表示部側本体係合部（上側）４２３、表示部側本体係合部（下側）４２４を有している。表示部側本体係合部（上側）４２３と表示部側本体係合部（下側）４２４は表示板ケース４２２の左右に対称形状にて設けられている。この状態にて本体２００の前面の開口部（開口の開口面）は、表示部４００によって閉塞された状態となる。これによって、光源部３００の取付の際に不用意に本体２００の内部に触れることを防止できる。
【００３９】
図１３は本体２００に対する表示部４００および光源部３００の取付方法を示す図である。表示部４００は本体２００に対し上から下方向へのスライドによって取付けられる。表示部４００が本体２００に取付けられたのちに、光源部３００を器具前面側より本体２００および表示部４００に嵌合させ、取付ける。係合関係は上記の図１０の説明で述べたとおりである。
【００４０】
図１４は本体２００および表示部４００の光源部３００に対する係合部を示す図である。本体２００の上側面には本体側光源部係合部２２６が左右にそれぞれ対称形状で設けられている。これは実施の形態１に示す光源部３００（基板ホルダ３０１）の係合爪３２９に対応するものである。また、表示部４００の上部には表示部側光源部係合部４２７が左右にそれぞれ対称形状に設けられている。これは実施の形態１に示す光源部３００（基板ホルダ３０１）の係合突起３２８に対応するものである。
【００４１】
図１６は本体２００と光源部３００の係合状態を示す断面図である。図１６の断面は、図９（ｄ）のＢ−Ｂ断面である。この図１６に示す断面は、光源部３００の、本体２００、表示部４００への装着後における、図１５のＢ−Ｂ断面をＢ方向からみたものに相当する。光源部３００に設けられた係合爪３２９は本体２００の前面側から本体２００に取付けられる。その際、係合爪３２９は本体側光源部係合部２２６を変形しながらのりこえ、弾性により形状が戻ることで嵌合し取付けられる。
【００４２】
図１７は光源部３００と表示部４００の係合状態を示す断面図である。図１７の断面は、図９（ｄ）のＣ−Ｃ断面である。またこの図１７の断面は、光源部３００の、本体２００、表示部４００への装着後における図１５のＣ−Ｃ断面をＣ方向からみたものに相当する。光源部３００に設けられた係合突起３２８は表示部４００に設けられた表示部側光源部係合部４２７の手前の小突起４２８（図１４）を変形しながらのりこえ、弾性により形状が戻ることで表示部側光源部係合部４２７と嵌合し、取付けられる。嵌合状態は図１７の様になる為、上下方向の移動が規制され、光源部３００と表示部４００との位置関係（上下方向の位置関係）はクリアランス以上の変動は起こらない。その為、表示装置１０００の光学特性の変動を抑制することが可能となる。なお、光源部３００の上部係合部３３０と本体２００の上部係合部本体側光源部移動抑止部２２５が当接することで、光源部３００と表示部４００が同時に移動し、本体２００から外れることを防止することができる。
【００４３】
上記構成とすることにより、光源部３００の着脱を容易にかつ確実に行うことができ、表示装置１０００の光学性能の変動を抑制することが可能となる。また、本実施の形態の構成によれば、光源部３００は表示装置１０００の外郭を構成するように本体２００に配設されるので、効率よく放熱することが可能となる。本実施の形態の説明では基板ホルダ３０１は合成樹脂としているが、放熱性能を高めたい場合は、放熱性樹脂や、金属系材料とすることで、更に放熱効果を高めることが可能である。
【符号の説明】
【００４４】
２００  本体、２０５  上面側電源穴、２０６  上面側取付穴、２０７  モニタ、２０８  点検用スイッチ、２０９  受光部、２１０  操作部、２１１，２１３  背面側取付穴、２１２  背面側電源穴、２１４  補強金具、２１５  電源端子台、２１６  バッテリ、２１７  点灯装置、２１８  本体側表示部係合部（上側）、２１９  本体側表示部係合部（下側）、２２５  本体側光源部移動抑止部、２２６  本体側光源部係合部、３００  光源部、３０１  基板ホルダ、３０７ａ  表面保持部、３０７ｂ  裏面保持部、３１０  脱落防止片、３１２  光源モジュール位置決め突起、３２８  係合突起、３２９  係合爪、３３０  上部係合部、３５１  光源モジュール、３５４  基板、３５５  光源、３５６  電気的接続部、３５７  穴、４００  表示部、４２０  導光体、４２１  表示板、４２２  表示板ケース、４２３  表示部側本体係合部（上側）、４２４  表示部側本体係合部（下側）、４２７  表示部側光源部係合部、１０００  表示装置。
【図１】
2014107248.tif 000003
【図２】
2014107248.tif 000004
【図３】
2014107248.tif 000005
【図４】
2014107248.tif 000006
【図５】
2014107248.tif 000007
【図６】
2014107248.tif 000008
【図７】
2014107248.tif 000009
【図８】
2014107248.tif 000010
【図９】
2014107248.tif 000011
【図１０】
2014107248.tif 000012
【図１１】
2014107248.tif 000013
【図１２】
2014107248.tif 000014
【図１３】
2014107248.tif 000015
【図１４】
2014107248.tif 000016
【図１５】
2014107248.tif 000017
【図１６】
2014107248.tif 000018
【図１７】
2014107248.tif 000019